(57)【要約】  【課題】隣接する居室に設けた居室窓から、この居室への採光を回避しつつ、玄関への採光を確保することができる。  【解決手段】居室４と玄関３とを区画する間仕切り壁６の一端部６１を外壁１から所定の開口幅を隔てて設ける。間仕切り壁６の一端部６１に、玄関３側に突出する外壁１に平行な側壁６３を連設する。居室４に設けた居室窓４１を間仕切り壁６を超えて玄関３側に拡張する。側壁６３と、外壁１であって居室窓４１の玄関３側の側面４１ａの外側部分との間に採光窓３３を設ける。居室４を遮光カーテン４４、４５で覆えば、この居室への採光を回避しつつ、居室窓４１の玄関３側に拡張した部分から、この玄関への採光を確保できる。【選択図】図１
2010281043.tif 000002
【特許請求の範囲】
【請求項１】
外壁を挟んで共用廊下にそれぞれ面すると共に、互いに隣接する居室と玄関とを有し、
上記居室と玄関とを区切る間仕切り壁の一端部は、上記外壁から所定の開口幅を隔てて設けてあり、
上記居室は、上記外壁に設けた居室窓を有し、
上記居室窓は、その玄関側の側面が、上記間仕切り壁を延長したときに上記外壁に当接する位置を超えて、この玄関側に入り込むように形成してあり、
上記間仕切り壁の一端部と、上記外壁であって上記居室窓の玄関側の側面の外側部分との間には、採光窓が設けてある
ことを特徴とする集合住宅の玄関の採光構造。
【請求項２】
請求項１において、上記間仕切り壁の一端部には、上記外壁に平行であって上記玄関側に突出する側壁が設けてあり、
上記側壁と、上記外壁であって上記居室窓の玄関側の側面の外側部分との間には、採光窓が設けてある
ことを特徴とする集合住宅の玄関の採光構造。
【請求項３】
請求項１または２のいずれかにおいて、上記採光窓は、羽板が回転自在の羽板構造である
ことを特徴とする集合住宅の玄関の採光構造。
【発明の詳細な説明】
【技術分野】
【０００１】
本発明は、集合住宅の玄関の採光構造に関する。
【背景技術】
【０００２】
マンション等の集合住宅では、玄関と居室等とを、それぞれ共用廊下に面して配置する構造が多用されている。すなわち玄関と居室等とは、外壁によって共用廊下と区画されており、玄関のドア及び居室の窓は、この外壁に開口する開口部に取り付けられる。
【０００３】
しかるに玄関ドアや居室窓は、限られた外壁巾の範囲内において設けられるため、玄関を構成する外壁の部分は、通常、玄関のドアが殆んどの面積を占めてしまう。したがって玄関のドアの左右に、採光や通気のための窓を設けるスペースを十分確保することが困難となる。したがって、いきおい玄関への採光や通気が不十分となる。
【０００４】
そこで玄関への採光や通気を確保するために、玄関の横隣りに、共用廊下に面するポーチを設け、このポーチの側面に玄関のドアを設ける構造が提案されている（例えば特許文献１、及び２参照。）。このように玄関の側面にドアを設ければ、玄関が共用廊下に面する外壁部分に、玄関への採光や通気のための窓を設けるスペースを、十分に確保することができる。
【０００５】
また図５に示すように、玄関３０３と隣接する左側の居室３０４とを区画する間仕切り壁３０６において、外壁３０１に近い部分に採光窓３３３を設ける構造が提案されている（例えば特許文献３参照。）。すなわち共用廊下３０２から、この共用廊下に面する左側の居室３０４に設けた居室窓３４１と、この居室と玄関３０３とを区画する間仕切り壁３０６に設けた採光窓３３３とを通じて、この玄関への採光や通気を確保することができる。
【先行技術文献】
【特許文献】
【０００６】
【特許文献１】特開平５−３１１８９９号公報（図１等。）
【特許文献２】特開２００３−２３９５５１号公報（図１等。）
【特許文献３】特開昭６１−１０２９８４号公報（図１等。）
【発明の概要】
【発明が解決しようとする課題】
【０００７】
しかしながら上述した従来のいずれの構造にも、さらに改良すべき点がある。すなわち特許文献１及び２に記載の構造では、共用廊下に面してポーチを設ける必要があるため、居住面積が犠牲にならざるを得ない。また特許文献３に記載の構造では、図５に示すように、居室窓３４１をカーテン３４４等によって覆うと、この居室窓からの採光が妨げられて、玄関３０３の採光ができなくなってしまう。すなわち玄関３０３への採光を確保しようとすると、必ず居室３０４にも外光が入ることになる。したがって、例えば昼間における休養のために、居室３０４への外光を遮断したい場合には、玄関３０３の採光を確保することができなくなる。      
【０００８】
そこで本発明の目的は、隣接する居室への採光の要否にかかわらず、玄関への採光が確保できる集合住宅の玄関の採光構造を提供することにある。
【課題を解決するための手段】
【０００９】
上記課題を解決すべく、本発明による集合住宅の玄関の採光構造の特徴は、隣接する居室に設けた居室窓を、玄関との間の間仕切り壁を越えて、この玄関側に拡張すると共に、この間仕切り壁の一端部と、この居室窓の玄関側の側面の外側との間に採光窓を設けることにある。
【００１０】
すなわち本発明による集合住宅の玄関の採光構造は、外壁を挟んで共用廊下にそれぞれ面すると共に、互いに隣接する居室と玄関とを有している。上記居室と玄関とを区切る間仕切り壁の一端部は、上記外壁から所定の開口幅を隔てて設けてある。上記居室は、上記外壁に設けた居室窓を有し、この居室窓は、その玄関側の側面が、上記間仕切り壁を延長したときに上記外壁に当接する位置を超えて、この玄関側に入り込むように形成してある。そして上記間仕切り壁の一端部と、上記外壁であって、上記居室窓の玄関側の側面の外側部分との間には、採光窓が設けてある。
【００１１】
上記間仕切り壁の一端部には、上記外壁に平行であって上記玄関側に突出する側壁が設けてあり、この側壁と、この外壁であって、上記居室窓の玄関側の側面の外側部分との間には、採光窓が設けてあるように構成することもできる。
【００１２】
上記採光窓は、羽板が回転自在の羽板構造であることが望ましい。
【００１３】
ここで「互いに隣接する居室」には、玄関の一方の側にのみ設けた居室に限らず、玄関を挟んで両側に居室を設ける場合も含む。また「居室」とは、集合住宅内の居住区画を意味し、例えば寝室、居間、書斎、及び台所が該当する。「間仕切り壁」とは、集合住宅内の居住区画を区画する内装壁を意味するが、その水平断面形状を問わない。水平断面形状が、ストレートのもの、屈曲したもの、あるいは開口部を有するもの等が該当する。
【００１４】
「間仕切り壁の一端部は、上記外壁と所定の開口幅を隔てて設けてあり」とは、間仕切り壁の外壁に対向する端部と、この外壁の内面とが、所定の間隔だけ離れていることを意味する。床から天井までにわたって、間仕切り壁と外壁の内面とが離れている場合にかぎらず、床から天井までの一部分だけ、間仕切り壁と外壁の内面とが離れている場合も含む。「外壁に設けた居室窓」とは、居室と共用廊下とを隔てる外壁に設けた開口孔に取り付けた、少なくとも透孔性を有する窓構造を意味する。たとえば曇りガラスの引き違い式アルミサッシ、曇りガラスの羽板を組み込んだ窓構造、あるいは固定式の曇りガラス窓が該当する。
【００１５】
「上記外壁であって上記居室窓の玄関側の側面の外側部分との間」とは、居室窓の玄関側に飛び出ている側面と、玄関のドアとの間を占める外壁部分の内面を意味する。「採光窓」は、少なくとも透孔性を有する窓構造を意味する。たとえば曇りガラスの回転式アルミサッシ、曇りガラスの羽板を組み込んだ窓構造、固定式の曇りガラス窓が該当する。また窓構造が、床から天井までにわたる場合にかぎらず、上述した「間仕切り壁の一端部」の開口形状に合わせて、床から天井までの一部分に窓構造を取り付ける場合も含む。
【００１６】
「玄関側に突出する側壁」は、「採光窓」が取付け可能なものであれば、その材質や形状等を問わない。「この側壁と、この外壁であって上記居室窓の玄関側の側面の外側部分との間には、採光窓が設けてある」とは、採光窓の一端が、側壁の玄関側への突出端に設けてある場合にかぎらず、採光窓の一端が、間仕切り壁の一端と、側壁の玄関側への突出端との間に設けてある場合を含む。
【００１７】
「羽根が回転自在の羽板構造」とは、窓に間をすかして斜めに取りつけた薄板であって、この薄板を回転させて、薄板同士のすかし隙間を、開閉できる構造を意味する。
【発明の効果】
【００１８】
隣接する居室と玄関とを区切る間仕切り壁の一端部を、外壁から所定の開口幅だけ離し、居室の居住窓を、この間仕切り壁を越えて玄関側に拡張すると共に、この間仕切り壁の一端部と、この居室窓の玄関側の側面の外側部分との間に、採光窓を設けることによって、この居住窓と採光窓とを介して、玄関への採光を確保することができる。また間仕切り壁の一端部と外壁との間に開口する部分、及び居住窓において、この間仕切り壁の延長線が外壁に接する部分までをカーテン等で覆うことによって、居室への採光を回避しつつ、玄関への採光を確保することができる。
【００１９】
なお玄関には、この玄関の側面に沿って、この玄関の奥行きより短い靴箱等を設ける場合が多い。したがって靴箱等と外壁の内面との間に、靴箱等の幅分の空間が生じる。そこでこの空間を構成する外壁部分に入り込むように、隣接する居室の居室窓を拡張することによって、この居室窓からこの空間に入る採光を、玄関に取り入れることができる。なお間仕切り壁の一端部と外壁との間は、所定の開口幅だけ、玄関と居室とが連通するが、採光窓を設けることによって、玄関と居室とを区画することができる。
【００２０】
間仕切り壁の一端部に、外壁に平行であって玄関側に突出する側壁を設けることによって、この側壁と、この外壁であって居室窓の側面の外側部分との間に設ける採光窓の位置や構造等の自由度を増すことがきる。またこの側壁の住居内側に、靴箱等を見栄え良く収納することができる。
【００２１】
採光窓を、羽板が回転自在の羽板構造とすることによって、居室窓を介して外気と玄関との通気を確保することができる。
【図面の簡単な説明】
【００２２】
【図１】集合住宅の玄関まわりの間取り図である。
【図２】集合住宅の玄関まわりの斜視図である。
【図３】集合住宅の玄関まわりの他の間取り図である。
【図４】集合住宅の玄関まわりの他の間取り図である。
【図５】従来例による集合住宅の玄関まわりの間取り図である。
【発明を実施するための形態】
【００２３】
図１〜図２を参照しつつ、本発明による集合住宅の玄関の採光構造を説明する。本発明による集合住宅は、外壁１を挟んで共用廊下２にそれぞれ面する左側の居室４、玄関３及び右側の居室５を有している。左側の居室４と玄関３とは、間仕切り壁６によって区切られており、外壁１に対向するこの間仕切り壁の一端部６１は、この外壁から所定の開口幅を隔てて設けてある。
【００２４】
なお間仕切り壁６の一端部６１と、外壁１との間の開口部６２は、床面から略１ｍの高さから、略天井面までにわたって形成してある。また間仕切り壁６は、その一端部６１に、外壁１と並行であって、玄関３側に突出する側壁６３が連設してあり、この側壁と外壁との間に、この玄関と左側の居室４とを連通する空間が形成される。なお玄関３と左側の居室４とを連通する空間は、間仕切り壁６の開口部６２の底辺の高さにおいて、水平板３２で上下が区画されており、この水平板の上側の空間が、採光空間３１になっている。また水平板３２の下部は、玄関３と居室４との仕切壁になっている。
【００２５】
左側の居室４には、アルミサッシからなる引き違い式の居室窓４１が、外壁１に設けてある。なお居室窓４１には、共用廊下２から採光が得られる曇りガラスを使用している。居室窓４１は、その玄関３側の側面４１ａが、間仕切り壁６を延長したときに外壁１に当接する位置を超えて、この玄関側、すなわち採光空間３１に入り込むように形成してある。採光空間３１は、採光窓３３で区画されており、この採光窓は、側壁６３の略中央部分と、外壁１であって居室窓４１の側面４１ａの外側部分との間に設けてある。なお採光窓３３は、羽板が回転自在の羽板構造になっている。
【００２６】
玄関３において、側壁６３の住戸内側には、靴箱３４が置かれている。また左側の居室４は、子供用の寝室兼勉強部屋であって、居室窓４１に面して机４２と椅子４３とが配置してある。玄関３が共用廊下２に面する外壁１には、玄関ドア３５が設けてある。右側の居室５は、主寝室であって、共用廊下２に面する外壁１には、左側の居室４と同様な、アルミサッシからなる引き違い式の居室窓５１が設けてある。
【００２７】
左側の居室４には、間仕切り壁６を延長したときに外壁１に当接する位置まで、居室窓４１を覆う遮光カーテン４４が設けある。また左側の居室４には、開口部６２を覆う遮光カーテン４５が設けてある。したがって遮光カーテン４４、４５を閉じれば、外部の光が、居室窓４１あるいは玄関３から、左側の居室４に入ることを回避できる。
【００２８】
したがって図１に示すように、左側の居室４に設けた遮光カーテン４４と４５とが開いている場合には、居室窓４１からの採光を、開口部６２と採光窓３３とを経由して、玄関３に届くようにすることができる。また左側の居室４に設けた遮光カーテン４４と４５とが閉じている場合には、居室窓４１の右端部分からの採光を、採光空間３１を経由して、玄関３に届くようにすることができる。
【００２９】
図３は、上述した玄関の採光構造の一部を変更したものを示している。なお図１及び図２に示した部品あるいは部分と同等のものは、参照等の便宜を図るため、図１及び図２に示した部品番号に、一律１００を加えた部品番号にしている。すなわち左側の居室１０４に設けた居室窓１４１は、間仕切り壁１０６の一端部１６１の延長線が、外壁１０１と交差する位置に設けた方立１４６の左側に設けられている。そして方立１４６の右側には、羽根板を組み込んだ窓１４７が設けられている。
【００３０】
したがって図３に示すように、左側の居室１０４に設けた遮光カーテン１４４と１４５とが開いている場合には、居室窓１４１からの採光を、開口部１６２と採光窓１３３とを経由して、さらに窓１４７からの採光を、この採光窓を経由して、玄関１０３に届くようにすることができる。また左側の居室１０４に設けた遮光カーテン１４４と１４５とが閉じている場合には、窓１４７からの採光を、採光窓１３３を経由して、玄関１０３に届くようにすることができる。
【００３１】
図４は、図１及び図２に示した玄関の採光構造の一部を変更したものを示している。なお図１及び図２に示した部品あるいは部分と同等のものは、参照等の便宜を図るため、図１及び図２に示した部品番号に、一律２００を加えた部品番号にしている。すなわちこの集合住宅の玄関の採光構造では、左側の居室２０４と玄関２０３とを区画する間仕切り壁２０６の、外壁２０１に対向する一端部２６１と、この外壁の内面であって、この左側の居室の居室窓２４１の右端面２４１ａの外側との間に、採光窓２３３を上方から見て斜めに設けたものである。
【００３２】
このように採光空間２３１を、採光窓２３３によって斜めに区画しても、上述した作用効果を発揮することができる。
【産業上の利用可能性】
【００３３】
隣接する居室に設けた居室窓から、この居室への採光を回避しつつ、玄関への採光を確保することができるため、集合住宅に関する産業に利用可能である。
【符号の説明】
【００３４】
１、１０１、２０１、３０１          外壁
２、１０２、２０２、３０２          共用廊下
３、１０３、２０３、３０３          玄関
３１、１３１、２３１                採光空間
３３、１３３、２３３、３３３        採光窓
３４、１３４                        靴箱
３５、１３５、２３５、３３５        玄関ドア
４，１０４、２０４、３０４          左側の居室
４１、１４１、２４１、３４１        居室窓
４１ａ、２４１ａ                    居室窓の玄関側の側面
４４、１４４、３４４                斜光カーテン
４５、１４５                        斜光カーテン
５、１０５、２０５、３０５          右側の居室
６、１０６、２０６、３０６          間仕切り壁
６１、１６１、２６１                一端部
６２、１６２                        開口部
６３                                側壁
【図１】
2010281043.tif 000003
【図２】
2010281043.tif 000004
【図３】
2010281043.tif 000005
【図４】
2010281043.tif 000006
【図５】
2010281043.tif 000007